(57)【特許請求の範囲】
【請求項１】
装置であって、
受信機に結合された非バイパス信号パスと、ここで、前記非バイパス信号パスはフィルタを備える、
前記受信機に結合されたバイパス信号パスと、ここで、前記バイパス信号パスは、前記フィルタをバイパスするように構成される、
非関連ローカル送信機によって送信された信号が選択された閾値を上回る信号電力で送信される時間インターバルの間、アンテナを前記非バイパス信号パスに結合し、他の時間インターバルの間、前記アンテナを前記バイパス信号パスに結合するためのスイッチと、
遅延情報を使用して、前記非バイパス信号パスと前記バイパス信号パスとの間でのスイッチングの結果として起こる任意の信号時間遅延を補償するように構成された遅延補償器と、ここで、前記遅延情報は、前記非バイパス信号パスおよび前記バイパス信号パスに関連付けられており、前記遅延補償器に予め記憶されている、
を備える装置。
【請求項２】
前記フィルタは、ＳＡＷフィルタ、ＦＢＡＲフィルタ、およびＢＡＷフィルタのうち少なくとも１つを備える、請求項１に記載の装置。
【請求項３】
前記スイッチの動作を制御するためのプロセッサをさらに備える、請求項１に記載の装置。
【請求項４】
前記プロセッサは、前記スイッチを制御して前記アンテナを前記非バイパス信号パスに結合することによって非バイパスモードをイネーブルにし、前記スイッチを制御して前記アンテナを前記バイパス信号パスに結合することによってバイパスモードをイネーブルにするように構成される、請求項３に記載の装置。
【請求項５】
前記受信機は、ポジショニング・システム受信機を備える、請求項１に記載の装置。
【請求項６】
前記非関連ローカル送信機は、広域ネットワーク（ＷＡＮ）送信機を備える、請求項１に記載の装置。
【請求項７】
前記遅延補償器はさらに、前記非バイパス信号パスに関連付けられた第１の時間遅延を補償し、前記バイパス信号パスに関連付けられた第２の時間遅延を補償するように構成される、請求項１に記載の装置。
【請求項８】
前記受信機は、前記非バイパス信号パスおよび前記バイパス信号パスの両方に結合された低ノイズ増幅器（ＬＮＡ）を備える、請求項１に記載の装置。
【請求項９】
前記受信機は、前記非バイパス信号パスに結合された第１のＬＮＡと、前記バイパス信号パスに結合された第２のＬＮＡとを備える、請求項１に記載の装置。
【請求項１０】
前記バイパス信号パスは、少なくとも１つの入力マッチングネットワーク（ＩＭＮ）を備え、前記ＩＭＮは、少なくとも１つの望ましくない信号をフィルタリングするように構成されたノッチフィルタを備える、請求項１に記載の装置。
【請求項１１】
装置であって、
受信機への非バイパス信号パスを提供する手段と、ここで、前記非バイパス信号パスはフィルタを備える、
前記受信機へのバイパス信号パスを提供する手段と、ここで、前記バイパス信号パスは、前記フィルタをバイパスするように構成される、
非関連ローカル送信機によって送信された信号が選択された閾値を上回る信号電力で送信される時間インターバルの間、アンテナを、前記非バイパス信号パスを提供する前記手段に結合する手段と、
他の時間インターバルの間、前記アンテナを、前記バイパス信号パスを提供する前記手段に結合する手段と、
遅延情報を使用して、前記非バイパス信号パスと前記バイパス信号パスとの間でのスイッチングの結果として起こる任意の信号時間遅延を補償するための手段と、ここで、前記遅延情報は、前記非バイパス信号パスおよび前記バイパス信号パスに関連付けられており、前記補償するための手段に予め記憶されている、
を備える装置。
【請求項１２】
前記フィルタは、ＳＡＷフィルタ、ＦＢＡＲフィルタ、およびＢＡＷフィルタのうち少なくとも１つを備える、請求項１１に記載の装置。
【請求項１３】
前記受信機は、ポジショニング・システム受信機を備える、請求項１１に記載の装置。
【請求項１４】
前記非関連ローカル送信機は、広域ネットワーク（ＷＡＮ）送信機を備える、請求項１１に記載の装置。
【請求項１５】
前記非バイパス信号パスに関連付けられた第１の時間遅延、および前記バイパス信号パスに関連付けられた第２の時間遅延を補償する手段をさらに備える、請求項１１に記載の装置。
【請求項１６】
方法であって、
選択された閾値を上回る信号電力で、非関連ローカル送信機によって送信された信号が存在するか否かを決定することと、
前記選択された閾値を上回る前記信号電力で前記非関連ローカル送信機によって送信された信号が存在する場合、アンテナを、受信機への非バイパス信号パスに結合することと、
前記選択された閾値を上回る前記信号電力で前記非関連ローカル送信機によって送信された信号が存在しない場合、前記アンテナを、前記受信機へのバイパス信号パスに結合することと、
予め記憶された遅延情報を使用して、前記非バイパス信号パスと前記バイパス信号パスとの間でのスイッチングの結果として起こる任意の信号時間遅延を補償することと、ここで、前記遅延情報は、前記非バイパス信号パスおよび前記バイパス信号パスに関連付けられている、
を備える方法。
【請求項１７】
前記選択された閾値を上回る信号電力で前記非関連ローカル送信機によって送信された前記信号を前記非バイパス信号パス上でフィルタリングして除去することをさらに備える、請求項１６に記載の方法。
【請求項１８】
前記非バイパス信号パスで搬送される第１の受信信号を増幅するために前記受信機の第１の低ノイズ増幅器（ＬＡＮ）をイネーブルにすることと
前記バイパス信号パスで搬送される第２の受信信号を増幅するために前記受信機の第２のＬＡＮをイネーブルにすることと
をさらに備える、請求項１６に記載の方法。
【請求項１９】
前記非バイパス信号パスに関連付けられた第１の時間遅延を補償することと、
前記バイパス信号パスに関連付けられた第２の時間遅延を補償することと、
をさらに備える、請求項１６に記載の方法。
【請求項２０】
少なくとも１つの望ましくない信号をフィルタリングするために、前記バイパス信号パス上にノッチフィルタを提供することをさらに備える、請求項１６に記載の方法。
【発明の詳細な説明】
【技術分野】
【０００１】
[0001]  本出願は一般的に、グローバル・ナビゲーション衛星システム（ＧＮＳＳ）の動作および設計に関し、より詳細には、ＧＮＳＳ受信機の感度を高めることに関する。
【背景技術】
【０００２】
[0002]  高品質な信号受信は、特に、現世代のポータブルデバイスにとって重要である。典型的に、そのようなデバイスは、ワイヤレス通信サービス、および、例えば、ＧＮＳＳ信号の受信を要求する位置ロケーションサービスのような多数のサービスを提供する。例えば、ＧＮＳＳは、米国で使用されているグローバル・ポジショニング・システム（ＧＰＳ）、ロシアで使用されているグローバル・ナビゲーション衛星システム（ＧＬＯＮＡＳＳ（GLObal Navigation Satellite System））、中国で使用されているＣＯＭＰＡＳＳナビゲーションシステムを含む広範囲の衛星ポジショニング・システム（ＳＰＳ）、および他の地域的なポジショニング・システムを備える。このように、ワイヤレス受信機のフロントエンドは、干渉を起こす信号を拒否し、所望の信号を高い感度で受信するように注意深く設計される必要がある。
【０００３】
[0003]  この問題を説明するために、ポータブルデバイスがＧＰＳ受信機およびセルラ送信機を含むＧＰＳ共存シナリオが考慮される。このＧＰＳ共存シナリオにおいて、強い無線周波数信号は、セルラチャネル上の送信によりＧＰＳ受信機のフロントエンドに出現しうる。そのような信号は、ＧＰＳ受信機を妨害し、ゆえに、ＧＰＳ信号受信に干渉しうる。この問題に対処するために、表面音響波（surface acoustic wave）（ＳＡＷ）フィルタのようなバンドパスフィルタ（band pass filter）は典型的に、ＧＰＳ受信機に関連付けられた受信信号パスに挿入される。ＳＡＷフィルタは、セルラ送信機に関連付けられた妨害信号を抑制する一方で、おおよそ１．５ｄＢの挿入損（insertion loss）をもたらす。このように、妨害信号が存在していない時に、受信されたＧＰＳ信号は、依然として、ＳＡＷフィルタの挿入損を経験し、これによって、受信機感度を低下させる。
【０００４】
[0004]  よって、感度を高めるためにＧＮＳＳ受信機のフロントエンドで利用されるフィルタの挿入損を克服する効率的な方法を有することが望まれるだろう。
【図面の簡単な説明】
【０００５】
[0005]  本明細書で説明された前述の態様は、添付図面とともに考慮された場合、下記の詳細な説明への参照により、より容易に明らかになるであろう。
【図１】図１は、ＧＰＳ受信機を含む通信デバイスの従来のフロントエンドの図を示す。
【図２】図２は、高められた感度のために構成されたＧＰＳ受信機を含む例示的なフロントエンド部を示す。
【図３】図３は、図２に示されたフロントエンド部にいくつかの変更を加えたものを備える例示的なフロントエンド部を示す。
【図４】図４は、時分割送信環境における、図３に示されたフロントエンド部の動作を示す例示的なタイミング図を示す。
【図５】図５は、例示的な入力マッチングネットワーク（ＩＭＮ）を示す。
【図６】図６は、図５に示されたＩＭＮのフィルタリング特性を示すグラフを示す。
【図７】図７は、高められた感度で動作する受信機を備える例示的なフロントエンドの図を示す。
【図８】図８は、高められた感度を達成するために受信機を動作するための例示的な方法を示す。
【図９】図９は、高められた感度を達成するように構成された受信機装置を示す。
【発明を実施するための形態】
【０００６】
[0015]  添付図面に関連して以下に示される詳細な説明は、本発明の例示的な実施形態の説明であることが意図されており、本発明が実施されうる唯一の実施形態を表すことが意図されているわけではない。本明細書の説明の全体にわたって用いられる「例示的」という用語は、「例、実例、または例示として提供すること」を意味し、他の例示的な実施形態よりも好ましいまたは有利であると必ずしも解釈されるべきではない。詳細な説明は、本発明の例示的な実施形態の完全な理解を提供することを目的とした特定の詳細を含む。本発明の例示的な実施形態は、これらの特定な詳細なしで実施されうることは当業者に明らかになるであろう。いくつかの事例では、本明細書に提示される例示的な実施形態の新規性を曖昧にしないために、周知の構造およびデバイスがブロック図形式で示される。
【０００７】
[0016]  図１は、ＧＰＳ受信機１１４を含む通信デバイスの従来のフロントエンド１００の図を示す。例えば、フロントエンド１００は、スマートフォンのようなポータブルワイヤレスデバイスでの使用に適している。
【０００８】
[0017]  フロントエンド１００は、通信ネットワークを通して音声、データ、または他の情報を送信および受信するローカル送信機１０２および受信機１０４を備える。送信機１０２および受信機１０４は、それらがＧＰＳ受信機１１４と同じ通信デバイス内に位置付けされるため、ローカルであるとみなされる。ローカル送信機１０２および受信機１０４は、特定の通信プロトコルを用いて外部エンティティと双方向通信を提供するために、それらが連携して動作するという点において関連している。したがって、送信機１０２は、特定の通信プロトコルを用いて外部エンティティと双方向通信を提供するために、連携して動作するわけではないという点において、ＧＰＳ受信機１１４に関連していない。
【０００９】
[0018]  デュプレクサ１０６は、送信機１０２からの送信信号１０８をフィルタリングし、送信のためにアンテナ１１０にルーティングしうる。アンテナ１１０によって受信された信号は、デュプレクサ１０６に入力され、ここで、それらは、フィルタリングされて、関連受信機（related receiver）１０４の低ノイズ増幅器（a low noise amplifier）（ＬＮＡ）１１２に入力される。このように、送信機１０２および関連受信機１０４は、適切なネットワークアクセス技術を用いてワイヤレスネットワークと通信するために連携して動作する。
【００１０】
[0019]  フロントエンド１００はまた、ＧＰＳ受信機１１４を備える。ＧＰＳ受信機１１４は、ＧＰＳアンテナ１１６を利用して、精確なロケーションを決定するために使用されうるＧＰＳ信号を受信する。受信されたＧＰＳ信号は、ＳＡＷフィルタ、薄膜バルク共振器（thin film bulk resonator）（ＦＢＡＲ）フィルタ、バルク音響波フィルタ（bulk acoustic wave filter）（ＢＡＷ）フィルタ、または任意の他のタイプのフィルタを備えるバンドパスフィルタ１１８に入力される。この説明の目的で、バンドパスフィルタ１１８はＳＡＷフィルタであり、以後「ＳＡＷフィルタ１１８」と記載されることが想定されるだろう。ＧＳＰ信号は、ＳＡＷフィルタ１１８によってフィルタリングされ、次に、ＧＰＳ受信機１１４のＬＮＡ １２２の入力インピーダンスをマッチングする入力マッチングネットワーク（ＩＭＮ）１２０に入力される。受信されたＧＰＳ信号は、ＬＮＡ １２２によって増幅され、ダウンコンバータ１２６によってダウンコンバートされ、ＢＢフィルタ１２８によってフィルタリングされ、デジタルＢＢプロセッサ１２４に渡され、正確な位置決定を行うために使用される。
【００１１】
[0020]  ローカル送信機１０２、関連受信機１０４、およびＧＰＳ受信機１１４は、デジタルベースバンド（ＢＢ）プロセッサ１２４と通信する。デジタルＢＢプロセッサ１２４は、アンテナ１１０を使用して、通信ネットワークを通して送信または受信された情報を処理する。このように、プロセッサ１２４は、いつおよびどの電力レベルでデータまたは他の情報が送信機１０２によって送信されるかを知っている。デジタルＢＢプロセッサ１２４はまた、位置決定を行うために、ＧＰＳ受信機１１４から受信されたベースバンド信号を処理する。
【００１２】
[0021]  動作中、送信機１０２は、アンテナ１１０から信号を送信する。送信された信号は、示されるように、おおよそ＋２５ｄＢｍの最大信号電力レベルおよびおおよそ−１０ｄＢｍの平均信号電力レベルを有しうる。アンテナ１１０がアンテナ１１６に近いため、アンテナ１１６から高い電力で送信された信号は、アンテナ１１０に結合され、ＧＰＳ受信機１１４を妨害しうる。例えば、アンテナ１１０から送信された信号は、それがＧＰＳ受信機１１４によって利用されるアンテナ１１６に移動すると（信号パス１３０に示されるように）、約１０ｄＢの損失を経験するだろう。送信された信号は、ＧＰＳアンテナ１１６で受信され、約＋１５ｄＢｍの最大信号電力レベルを有しうる。ＳＡＷフィルタ１１８が無い場合、このレベルで受信された信号は、ＧＰＳ受信機１１４を妨害し、正確な位置決定を行うためのデジタルＢＢプロセッサ１２４の性能に干渉するだろう。
【００１３】
[0022]  ＳＡＷフィルタ１１８は、ＧＰＳ信号帯域外の信号をフィルタリングして除去し、それは、おおよそ１５７５ＭＨｚに中心をおく。例えば、１つの例示的な実現において、ＳＡＷフィルタ１１８は、ＧＰＳ信号帯域外でおおよそ３５ｄＢの拒否（rejection）を提供する。このレベルの拒否は、受信された送信信号（ジャマー）の最大信号電力をおおよそ３５ｄＢまで減らし、それによって、約−２０ｄＢｍの最大信号電力レベルは、入力マッチングネットワーク（ＩＭＮ）で受信され、その後ＬＮＡ １２２で受信される。結果として、ＬＮＡ １２２は、ＧＰＳ受信機１１４を妨害するのに、または正確な位置決定を行うためのデジタルＢＢプロセッサ１２４の動作に干渉するのに、十分な大きさではない約−２０ｄＢｍの電力レベルで送信信号（ジャマー）を受信する。
【００１４】
[0023]  残念ながら、ＧＰＳ信号を受信する際、ＳＡＷフィルタ１１８は、おおよそ１．５ｄＢの挿入損（insertion loss）（ＩＬ）をもたらす。ＧＰＳ信号は典型的に、おおよそ−１６０ｄＢｍの信号電力で受信され、この挿入損は、ＧＰＳ受信機１１４の性能および正確な位置決定を行うためのデジタルＢＢプロセッサ１２４の動作に影響を及ぼしうるより低い感度に帰着する。したがって、高められた感度を有する開示されたＧＰＳ受信機の例示的な実施形態は、ＳＡＷフィルタ１１８が引き起こす信号損失（insertion loss）を低減または除去するように動作する。
【００１５】
[0024]  様々な例示的な態様において、高められた感度を有するＧＮＳＳ受信機が開示される。この説明の目的で、様々な態様が、ＧＰＳ受信機を参照して本明細書で説明されるが、これらの様々な態様は、あらゆるタイプのＧＮＳＳ受信機に等しく適用可能である。
【００１６】
[0025]  図２は、高められた感度のために構成されたＧＰＳ受信機を備える例示的なフロントエンド部２００を示す。例えば、フロントエンド部２００は、図１に示されているフロントエンド１００での使用に適している。フロントエンド部２００は、ＧＰＳアンテナ２０２、スイッチ２０４、ＳＡＷフィルタ２０６、ＩＭＮ１ ２０８、ＩＭＮ２ ２１０、およびＧＰＳ受信機２１２を備える。
【００１７】
[0026]  スイッチ２０４は、任意の適切なスイッチングデバイスまたは回路を備え、スイッチ制御信号２１４に基づいてアンテナ２０２をＳＡＷフィルタ２０６またはＩＭＮ２ ２０８に選択的に接続するように動作しうる。スイッチ２０４は、選択された信号パスに約０．２５ｄＢの挿入損を挿入する。
【００１８】
[0027]  １つの実現において、デジタルＢＢプロセッサ１２４は、スイッチ制御信号２１４を出力する。デジタルＢＢプロセッサ１２４は、いつおよびどの電力レベルで送信が送信機１０２によって実行されるべきかについての知識を有する。送信機１０２が信号を比較的高い信号電力で送信することとなる時間の間、デジタルＢＢプロセッサ１２４は、非バイパス動作モード（a non-bypass operating mode）においてアンテナ２０２をＳＡＷフィルタ２０６に接続するようにスイッチ２０４を制御するためにスイッチ制御信号２１４を設定する。送信機１０２が信号を比較的低い電力（すなわち、−１０ｄＢｍ以下）で送信している時間、または、送信機１０２がいずれの信号をも送信していない時間の間、デジタルＢＢプロセッサ１２４は、バイパス動作モード（a bypass operating mode）においてアンテナ２０２をＩＭＮ２ ２０８に接続するようにスイッチ２０４を制御するためにスイッチ制御信号２１４を設定する。非バイパス動作モードおよびバイパス動作モードについてのさらなる詳細が下に提供される。
【００１９】
非バイパスモード 
[0028]  非バイパス動作モードの間、スイッチ制御信号２１４は、非バイパス信号パス（a non-bypass signal path）上でＳＡＷフィルタ２０６にアンテナ２０２を接続するようにスイッチ２０４を制御する。この動作モードは、送信機１０２などの非関連ローカル送信機（an unrelated local transmitter）が、ＧＰＳ受信機２１２を妨害し（jam）うる信号をアクティブに送信している場合に利用されうる。例えば、送信信号がアンテナ２０２においておおよそ＋１５ｄＢｍの信号レベルで受信されたと想定する。ＳＡＷフィルタ２０６は、受信された最大送信信号を約−２０ｄＢｍに減衰させる（attenuate）ために、３５ｄＢの拒否（rejection）を提供する。このレベルでは、受信された送信信号（ジャマー）は、ＧＰＳ受信機２１２の動作に干渉しないだろう。このように、非バイパス動作モードでは、受信された送信信号（ジャマー（jammer））はかなり抑制される（suppressed）。
【００２０】
[0029]  残念ながら、ＳＡＷフィルタ２０６は、約１．５ｄＢの挿入損があり、これは、この動作モードの間にアンテナ２０２によって受信されるＧＰＳ信号を劣化させる（degrade）ように動作する。例えば、ＧＰＳ信号は、アンテナ２０２においておおよそ−１６０ｄＢｍの信号電力で受信される。スイッチ２０４は、ＳＡＷフィルタ２０６に、これらの信号をルーティングし、そこでは、ＳＡＷフィルタ２０６の挿入損により信号が約１．５ｄＢ損失する。結果として、受信されたＧＰＳ信号は、より低い信号レベルで、ＬＮＡ ２１６において受信される。このように、非バイパスモードでは、ＧＰＳ受信機２１６は、より低い感度で動作する。
【００２１】
バイパスモード 
[0030]  バイパス動作モードにおいて、スイッチ制御信号２１４は、バイパス信号パス（a bypass signal path）上でアンテナ２０２をＩＭＮ２ ２０８に接続するようにスイッチ２０４を制御する。例えば、送信機１０２が送信していない場合（すなわち、ジャマーが存在しない場合）、または、送信機１０２が非常に低い信号電力で送信している場合、任意の受信された妨害信号（jamming signal）がＧＰＳ受信機２１２において感度の重大な損失を引き起こさないように、バイパス動作モードが使用される。
【００２２】
[0031]  ＩＭＮ２ ２０８は、ＩＭＮ１ ２１０の入力インピーダンスをマッチングさせるためにインピーダンスマッチング（impedance matching）を実行する。ＩＭＮ１ ２１０の出力は、ＧＰＳ受信機２１２のＬＮＡ ２１６に入力される。この動作モードにおいて、ＳＡＷフィルタ２０６はバイパスされるため（すなわち、受信されたＧＰＳ信号がＳＡＷフィルタ２０６を迂回してルーティングされる（routed around）ため）、受信されたＧＰＳ信号は、ＳＡＷフィルタ２０６の挿入損を回避し、それによって、ＧＰＳ受信機２１２に、非バイパスモードで達成可能なレベルよりも高い信号レベルで到着する。例えば、バイパスモードにおいて、ＧＰＳ信号は、非バイパスモードの場合よりも約１．５ｄＢ高い信号電力レベルでＧＰＳ受信機２１２において受信される。様々な実現において、ＩＭＮ２ ２０８およびＩＭＮ１ ２１０は非常に小さい挿入損があることが想定されるだろう。
【００２３】
[0032]  図３は、図２に示されたフロントエンド部２００に様々な変更を加えたものを備える例示的なフロントエンド部３００を示す。アンテナ２０２、スイッチ２０４、ＳＡＷフィルタ２０６、ＩＭＮ２ ２０８、およびＩＭＮ１ ２１０は、図２を参照して説明されるように動作する。この変更は、ＬＮＡ ３０２をＧＰＳ受信機２１２に追加することを備える。ＧＰＳ受信機２１２は、受信されたＧＰＳ信号をベースバンドに変換するダウンコンバータ（ＤｎＣ）３０４に接続されるようにＬＮＡ ２１６の出力またはＬＮＡ ３０２の出力を選択的にイネーブルにしうる。例示的な実現において、デジタルＢＢプロセッサ１２４は、ＬＮＡ １２６またはＬＮＡ ３０２のいずれかを選択し、ダウンコンバージョンのために増幅された信号を提供するために、受信機２１２によって使用されるＬＮＡ制御信号３０６を出力する。例えば、非バイパスモードでは、ＬＮＡ制御信号３０６は、ＬＮＡ ２１６が選択されるべきであることを示す。バイパスモードでは、ＬＮＡ制御信号３０６は、ＬＮＡ ３０２が選択されるべきであることを示す。
【００２４】
[0033]  例示的な実現において、ＩＭＮ２ ２０８の出力は、ＧＰＳ受信機２１２の第２のＬＮＡ ３０２に入力される。この構成の場合、スイッチ２０４から出力された受信信号は、ＬＮＡ ３０２に入力される前に、ＩＭＮ２ ２０８だけを通してルーティングされる（routed only through）。このように、バイパス信号パスは、ＩＭＮ２ ２０８だけがバイパス信号パスにあるため、図２に示されたバイパス信号パスよりも少ない信号損失を経験する。例えば、図２において、ＩＭＮ２ ２０８およびＩＭＮ１ ２１０は両方とも、バイパスモード動作中に使用されるバイパス信号パスにある。
【００２５】
[0034]  他の実施形態において、フロントエンド部３００は、バイパス信号パスおよび非バイパス信号パスの一方または両方におけるＧＰＳ信号受信を容易にするためにさらなる回路を備える。例えば、例示的な実現において、１つ以上の外部増幅器（点線を用いて示される）は、ＧＰＳ受信機２１２への入力に先立って信号を増幅するために使用される。例えば、１つの外部増幅器が３１４で示され、次にＩＭＮ２ ２０８に入力される、バイパスモードにおける受信信号を増幅するために使用される。
【００２６】
[0035]  外部増幅器は、ＧＰＳアンテナ２０２がＧＰＳ受信機２１２から遠く離れて位置付けされている実現での使用に適している。この場合、アンテナ２０２から受信機２１２への長い導電性トレース（long conductive traces）は、感度を劣化させ（degrade sensitivity）うる。このように、外部増幅器は、アンテナ２０２に近い、受信されたＧＰＳ信号を増幅し、それにより、長い信号トレースによって引き起こされうる感度の低下を低減または除去しうる。外部増幅器を使用する場合、さらなるマッチングネットワーク（matching networks）（示されない）もまた使用されうる。
【００２７】
代替的なスイッチ実現 
[0036]  様々な実現において、スイッチ２０４は、受信信号を非バイパス信号パスまたはバイパス信号パスのいずれかにルーティングするために使用される。スイッチ２０４は、様々なスイッチ構成を有する任意の適切なスイッチングデバイスを備える。例えば、スイッチ２０４は、３１０で示されるスイッチ３１２と置き換えられうる。スイッチ３１２は、非バイパス信号パスでは挿入損がほとんどまたはまったくなく、バイパス信号パスでは0．２５ｄＢの挿入損がある。しかしながら、そのような低い信号損失は、感知できるほど性能に影響を及ぼさず、よって、本明細書で説明される望ましい改善を達成するために、事実上任意のスイッチ構成が使用されうる。
【００２８】
位相調整 
[0037]  様々な実現において、スイッチ２０４は、受信信号を非バイパス信号パスまたはバイパス信号パスのいずれかにルーティングするために使用される。非バイパス信号パスとバイパス信号パスとから選択する場合、信号パス間のわずかな時間遅延を経験しうる。この時間遅延は、受信されたＧＰＳ信号から正確な位置を決定しようとする試みの際、デジタルＢＢプロセッサ１２４に干渉しうる。
【００２９】
[0038]  位置決定プロセスへの干渉を防ぐため、デジタルＢＢプロセッサ１２４は、非バイパス信号パスおよびバイパス信号パスに関連付けられた遅延情報を記憶する遅延補償器（a delay compensator）（ＤＣ）３０８を備える。遅延補償器３０８は、プロセッサ、メモリ、レジスタ、または、バイパス信号パスおよび非バイパス信号パスに関連付けられた時間遅延を補償するように動作する他の機能エレメント（示されない）を備える。例えば、遅延情報は、製造時に決定されことができ、その際、遅延補償器３０８にロードされうる。遅延補償器３０８は、この遅延情報を使用して、非バイパス信号パスとバイパス信号パスとの間でのスイッチングの結果として起こりうる任意の信号時間遅延を補償する。例えば、デジタルＢＢプロセッサ１２４が、スイッチ２０４を制御してバイパス信号パスに受信信号をルーティングするようにスイッチ制御信号２１４を設定した場合、デジタルＢＢプロセッサ１２４は、遅延補償器３０８によって提供された適切な遅延情報を受信し、バイパス信号パス上で受信されたＧＰＳ信号を処理して、第１の時間遅延を補償し、それによって、正確な位置決定を行うこができる。デジタルＢＢプロセッサ１２４が、第２の時間遅延を補償するために受信信号を非バイパス信号パスにスイッチングした場合、同様のプロセスが実行される。結果として、遅延補償器３０８およびデジタルＢＢプロセッサ１２４は、受信されたＧＰＳ信号が非バイパス信号パスとバイパス信号パスとの間でルーティングされるたびに起こりうる任意の時間遅延をシームレスに補償または修正することができる。
【００３０】
[0039]  図４は、時分割送信環境における、図３に示されるフロントエンド部３００の動作を示す例示的なタイミング図４００を示す。例えば、送信機１０２および関連受信機１０４が、ＧＳＭ（登録商標）、時分割ロングタームエボリューション（ＴＤ−ＬＴＥ）、ブルートゥース、またはワイヤレスＬＡＮのような時分割通信プロトコルを利用して通信ネットワークと通信していることが想定されるだろう。そのようなプロトコルにおいて、送信機１０２は、既知の時間インターバルの間に信号を送信する。
【００３１】
[0040]  図４００は、送信機１０２に関連付けられた送信時間インターバルのプロット４０２を備える。例えば、その間に送信機１０２が高い電力レベルで信号を送信している第１の送信インターバル４０６が示される。例えば、高い電力レベルは、−１０ｄＢｍよりも高くなるように定義される。この送信の持続時間は、４０８で示される。
【００３２】
[0041]  デジタルＢＢプロセッサ１２４は、送信機１０２の動作について知っており、プロット４０２で示される送信インターバルの間に、デジタルＢＢプロセッサ１２４は、高い電力送信インターバルの間には非バイパス信号パス（非バイパスモード）を選択し、低い電力送信インターバルの間または送信が無い送信インターバル間にはバイパス信号パス（バイパスモード）を選択するようにスイッチ２０４を制御するためのスイッチ制御信号２１４を出力する。例えば、送信閾値が定義される（すなわち、−１０ｄＢｍ）。この場合、この閾値を上回る送信は、高い電力の送信（high power transmissions）とみなされ、この閾値を下回る送信は、低い電力の送信（low power transmissions）とみなされる。このように、プロット４０４は、各送信インターバルの間に選択されるモード、および、複数の送信インターバル間で選択されるモードを示す。例えば、送信インターバル４０６の開始直前に、４１０で示されるように、非バイパスモードがイネーブルにされる。非バイパスモードは、送信インターバル４０６が完了するまで継続し（時間インターバル４１２）、その時点で、モードは、送信電力レベルが−１０ｄＢｍよりも高い次の送信インターバルまで、バイパスモードにスイッチングされる。このように、デジタルＢＢプロセッサ１２４は、送信電力レベルに基づいてモード選択を制御するように動作する。
【００３３】
[0042]  図５は、例示的な入力マッチングネットワーク（ＩＭＮ）５００を示す。例えば、ＩＭＮ ５００は、図３に示されるＩＭＮ２ ２０８としての使用に適している。例示的な実現において、ＩＭＮ ５００は、インピーダンスマッチング機能も実行し、ノッチフィルタ（a notch filter）としても動作する。例えば、ジャマーが存在しないまたは低い電力のジャマーしか存在しないバイパスモードの間、ＧＰＳ信号が最も高い感度で受信されることを可能にするためにＩＭＮ ６００がブロードパスバンド（a broad pass band）を有することが望まれる。しかしながら、バイパスモードの間に、他の送信が存在しうる可能性もある。例えば、典型的なＷＡＮ送信は、おおよそ８２５ＭＨｚで生じ、典型的なＷＬＡＮ送信は２４００ＭＨｚで生じる。そのような送信は、フィルタリングされていなければ、ＧＰＳ受信機を飽和させる（saturate）可能性がある。例えば、高いエネルギのＷＬＡＮ送信（すなわち、約＋２２ｄｂｍ）は、約＋１２ｄｂｍの信号電力で受信され、それは、ＧＰＳ受信機を飽和させるであろう。
【００３４】
[0043]  さらに、ＷＡＮとＷＬＡＮの両方の周波数が存在する場合、それらは、１５７５ＭＨｚのＧＰＳ中心周波数で、またはその近くで出現するであろう２次歪みを生成しうる。よって、ＧＰＳ受信機を飽和させないために、および、ＧＰＳ周波数帯域（GPS frequency band）で出現しうる２次歪み（2nd order distortions）を回避するために、これらの周波数におけるエネルギをフィルタリングして除去することが望まれる。
【００３５】
[0044]  図５０２は、ＷＡＮ周波数においてノッチフィルタ５０６を、ＷＬＡＮ周波数においてノッチフィルタ５０８を提供するＩＭＮ ５００の構成を示し、それらは、バイパスモードで動作中、ＧＰＳ信号処理への干渉を防ぐように動作する。略図５０４は、ノッチフィルタリング機能を実行するノッチフィルタ５０６およびノッチフィルタ５０８の例示的な実現を示す。
【００３６】
[0045]  例示的な実現において、ノッチフィルタ５０６は、１．２ｐＦのキャパシタと並列に接続された４．７ｎＨのインダクタを備える。この並列結合は、５．２ｐＦのキャパシタに接続される。ノッチフィルタ５０８は、０．９ｐＦのキャパシタと並列に接続された４．７ｎＨのインダクタを備える。フィルタ５０６および５０８の実現は例示的であること、および、他のフィルタ実現が可能であることに注意されたい。ノッチフィルタ５０６および５０８のフィルタリング特性が以下に提供される。フィルタ５０６が図６に示されるフィルタリング特性に限定されず、実際、任意のタイプの望ましくない信号（unwanted signals）をフィルタリングするように構成されうることに注意されたい。
【００３７】
[0046]  図６は、図６に示されるＩＭＮ ６００のフィルタリング特性を示すグラフ６００を示す。例えば、パイロット６０２は、ＩＭＮ ６００のパスバンド（passband）を示す。６０６によって示される１５７５ＭＨｚのＧＰＳ中心周波数において、ＩＭＮ ６００は、わずかな信号減衰（signal attenuation）を提供する。６０８によって示される８２５ＭＨｚのＷＡＮ中心周波数、および、６１０によって示される２４００ＭＨｚのＷＬＡＮ中心周波数において、ＩＭＮ ６００は、かなりの信号減衰（すなわち、おおよそ２０ｄＢ）を提供する。比較のため、パイロット６０４は、ＳＡＷフィルタ２０６のパスバンド特性を示す。６１２によって示されるように、ＳＡＷフィルタ２０６は、約１．５ｄＢの挿入損がある。このように、ＩＭＮ ６００は、図２および図３で示されるＧＰＳ受信機が高められた感度で動作する間、バイパスモードの使用を容易にするために、インピーダンスマッチングおよびノッチフィルタリングの機能を実行する。
【００３８】
[0047]  図７は、高められた感度で動作する受信機７１４を備える例示的なフロントエンド７００の図を示す。例えば、受信機７１４は、ポジショニング・システムの受信機でありうる。フロントエンド７００は、多数の送信技術を使用して通信するために、多数のトランシーバを備えるポータブルデバイスでの使用に適している。例えば、このデバイスは、セルラ、ＬＡＮ、ＷＬＡＮ、または他のトランシーバを備え、このデバイスの受信機が最も高い感度で動作することが望まれうる。
【００３９】
[0048]  典型的に受信機は、受信機を妨害することから、望ましくない信号をフィルタリングする入力フィルタリングを備える。しかしながら、そのようなジャマーが存在しないかまたは非常に低い電力レベルで存在する場合、入力フィルタリングは不必要な場合があり、実際、感度を低減する損失を信号パスに挿入しうる。フロントエンド７００は、これらの欠点および別の欠点を克服する。
【００４０】
[0049]  フロントエンド７００は、デジタル信号プロセッサ（ＤＳＰ）７０２、アンテナ７０６、アンテナ７０８、スイッチ７１０、フィルタ７１２、受信機７１４とは関連性のない（unrelated to）ローカル非関連送信機（local unrelated transmitter）７０４を備える。フロントエンド７００が、多数の送信機を備えるデバイスで動作し、明瞭さのために、非関連送信機７０４が他の複数の送信機のうちの単なる１つを表すことが想定されるであろう。結果として、非関連送信機７０４についてのフロントエンド７００の動作は、存在しうる他の複数の送信機にも適用可能である。
【００４１】
[0050]  ＤＳＰ ７０２は、非関連ローカル送信機７０４によって送信されるべき信号を出力し、これらの信号は、アンテナ７０６を用いて送信される。送信された信号は、アンテナ７０８によって受信され、これは、受信機７１４による処理のために信号を受信するように設計されている。スイッチ７１０は、アンテナ７０８によって受信された信号を、望ましくない信号がフィルタリングされて除去されるフィルタ７１２に非バイパス信号パス７２０上でルーティングする。例えば、フィルタ７１２は、例えば、１〜３ｄＢといった、いくつかの重大な挿入損レベルがあるＳＡＷフィルタでありうる。フィルタ７１２の出力は、ダウンコンバージョンのために受信機７１４に入力される。結果として得られるＢＢ信号は、処理のために、ＤＳＰ ７０２に入力される。
【００４２】
[0051]  残念なことに、アンテナ７０８によって受信される信号に妨害信号が存在しない場合または低い電力の妨害信号しか存在しない場合、フィルタ７１２によって実行されるフィルタリングは、必要とされない可能性があるが、その挿入損は、依然として、受信機７１４の感度を低減するであろう。例示的な実現において、ＤＳＰ ７０２は、いつおよびどの電力レベルで非関連送信機による非関連送信（unrelated transmissions）が起こることになるのかについて知っている。非関連送信が無いまたは低い電力の非関連送信しか無い時間インターバルの間、ＤＳＰ ７０２は、スイッチ７１０に対して、受信信号を、バイパス信号パス７１６上のフィルタ７１２を迂回してルーティングさせる制御信号７１８をスイッチ７１０に出力し、それによって、フィルタ７１２をバイパスし、その挿入損を回避する。この受信信号は、可能な最も高い信号レベルで受信機７１４において受信され、これは、受信機感度を高めることに帰着する。
【００４３】
[0052]  様々な実現において、ＤＳＰ ７０２は、デバイスで動作する任意の非関連送信機からの非関連送信に基づいて制御信号７１８を設定することができる。制御信号７１８は、スイッチ７１０の動作を制御するだけでなく、受信機７１４の動作も制御しうる。例えば、受信機７１４は、制御信号７１８に基づいて異なる入力構成を選択しうる。例えば、受信機７１４は、フィルタ７１２がバイパスされない場合に、ある構成を利用し、フィルタ７１２がバイパスされた場合に、別の構成を利用する。
【００４４】
[0053]  ＤＳＰ ７０２はまた、制御信号７１８のステータスに基づいてさらなる機能を実行しうる。例えば、ＤＳＰ ７０２は、受信機７１４によって提供される信号を処理するために使用される１つ以上のパラメータを備えうる。ＤＳＰ ７０２は、制御信号７１８のステータスに基づいて、様々なパラメータを調整するか、様々なパラメータから選択することができる。例えば、フィルタ７１２がバイパスされない場合、受信データを処理して、例えば、第１の時間遅延を補償するために、複数のパラメータの１つのセットがＤＳＰ ７０２によって使用される。スイッチ７１０がフィルタ７１２をバイパスするように設定された場合、受信されたデータを処理し、例えば、第２の時間遅延を補償するために、複数のパラメータの別のセットが、ＤＳＰ ７０２によって使用される。
【００４５】
[0054]  このように、フロントエンド７００は、任意のタイプの送信プロトコルを使用して情報を送信する任意の数の非関連なローカル送信機（unrelated local transmitters）を含むことができるデバイスにおいて高められた感度で動作する受信機７１４を備える。
【００４６】
[0055]  図８は、高められた感度を達成するように、受信機を動作するための例示的な方法８００を示す。例えば、１つの実現において、方法８００の動作は、図３に示されるＧＰＳ受信機２１２を備えるフロントエンド３００によって実行される。
【００４７】
[0056]  ブロック８０２において、受信機は、非バイパスモードで動作するように初期化される。例えば、デジタルＢＢプロセッサ１２４は、スイッチ２０４を制御して、受信信号を、受信機２１２への非バイパス信号パス上でＳＡＷフィルタ２０６にルーティングするようにスイッチ制御信号２１４を設定する。
【００４８】
[0057]  ブロック８０４において、ローカルな非関連送信機からの送信（ジャマー）が検出されたか否かについて決定がなされる。例えば、デジタルＢＢプロセッサ１２４は、送信機１０２からの送信がいつ生じるものであるか知っている。送信が生じる予定である場合、方法は、ブロック８０６に進む。いずれの送信も生じる予定でない場合、方法は、ブロック８１６に進む。
【００４９】
[0058]  ブロック８０６において、検出された送信が電力レベル閾値を上回るか否かについて決定がなされる。例えば、デジタルＢＢプロセッサ１２４は、非関連なローカル送信機１０２からの送信の電力レベルを知っている。送信された電力レベルが選択された閾値（すなわち、−１０ｄＢｍ）を上回ることとなる場合、方法はブロック８０８に進む。送信の電力レベルがその閾値以下である場合、方法はブロック８１６に進む。
【００５０】
[0059]  ブロック８１６において、バイパス動作モードが選択される。例えば、デジタルＢＢプロセッサ１２４は、スイッチ２０４を制御して、ＳＡＷフィルタ２０６を回避するバイパス信号パス上で信号をルーティングするようにスイッチ制御信号２１４を設定する。この構成において、この信号は、最も高い信号レベルで受信機２１２において受信され、これは、受信機感度を高めることに帰着する。
【００５１】
[0060]  ブロック８０８において、非バイパスモードが選択される。例えば、デジタルＢＢプロセッサ１２４は、スイッチ２０４を制御して、ＳＡＷフィルタ２０６を含む非バイパス信号パス上で信号をルーティングするようにスイッチ制御信号２１４を設定する。この構成において、この信号は、ジャマーを除去するためにフィルタリングされうるが、そのフィルタの挿入損も経験しうる。その後、その信号は、より低い信号レベルで受信機２１２において受信され、それは、より低い受信機感度に帰着する。
【００５２】
[0061]  ブロック８１０において、受信機におけるＬＮＡが選択される。例えば、受信機が多数のＬＮＡを備える実現において、ＧＰＳ信号を受信するために、動作モードに基づいて適切なＬＮＡが選択される。例えば、図３について、非バイパスモードが選択された場合、受信機２１２は、ＧＰＳ信号を受信するために、ＬＮＳ制御信号３０６に基づいて、ＬＮＡ ２１６をイネーブルにする。バイパスモードが選択された場合、受信機２１２は、ＧＰＳ信号を受信するために、制御信号３０６に基づいて、ＬＮＡ ３０２をイネーブルにする。
【００５３】
[0062]  ブロック８１２において、遅延補償が実行される。例えば、遅延補償器３０８およびデジタルＢＢプロセッサ１２４は、特定の動作モードに関連付けられた任意の時間遅延を補償する（または修正する）。例えば、非バイパス動作モードに関連付けられた第１の時間遅延が補償されるか、または、バイパスモードに関連付けられた第２の時間遅延が補償される。時間遅延の補償（または修正）により、デジタルＢＢプロセッサ１２４は、受信されたＧＰＳ信号を正確に処理することができる。
【００５４】
[0063]  ブロック８１４において、受信機は選択されたモードで動作され、この方法は、さらなる送信が検出されるか否かを決定するために、ブロック８０４に戻る。
【００５５】
[0064]  このように、方法８００は、高められた感度を達成するために、フロントエンド３００に含まれるＧＰＳ受信機のような受信機を動作するための方法を示す。方法８００が単に１つの実現であることに、および、他の実現が可能なように方法８００の動作が再配列されることまたは他の方法で変更されうることに注意されたい。
【００５６】
[0065]  図９は、高められた感度で動作するように構成された受信機装置９００を示す。装置９００は、図３で示されたフロントエンド３００、または、図７で示されたフロントエンド７００での使用に適している。ある態様において、装置９００は、本明細書で説明された機能を提供するように構成された１つ以上のモジュールによって実現される。例えば、ある態様において、各モジュールは、ハードウェアおよび／またはソフトウェアを実行するハードウェアを備える。
【００５７】
[0066]  装置９００は、受信機への非バイパス信号パスを提供する手段（９０２）を備える第１のモジュールを備え、非バイパス信号パスはフィルタを備え、それは、ある態様では、信号パス７２０を備える。
【００５８】
[0067]  装置９００はまた、受信機へのバイパス信号パスを提供する手段（９０４）を備える第２のモジュールを備え、バイパス信号パスはフィルタをバイパスし、それは、ある態様では、信号パス７１６を備える。
【００５９】
[0068]  装置９００はまた、非関連のローカル送信機によって送信された信号が、選択された閾値を上回る信号電力で送信される時間インターバルの間、非バイパス信号パスを提供する手段にアンテナを結合するための手段（９０６）を備える第３のモジュールを備え、それは、ある態様では、スイッチ７１０を備える。
【００６０】
[0069]  装置９００はまた、他のインターバルの間、バイパス信号パスを提供する手段にアンテナを結合する手段（９０８）を備える第４のモジュールを備え、それは、ある態様では、スイッチ７１０を備える。
【００６１】
[0070]  当業者は、情報および信号が、様々な異なる技術および技法のいずれかを使用して表現または処理されることを理解するだろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。さらに、トランジスタタイプおよび技術が、同じ結果を達成するために、置き換えられること、再配置されること、または他の方法で変更されることに注意されたい。例えば、ＰＭＯＳトランジスタを用いて示される回路は、ＮＭＯＳトランジスタを使用するように変更されることができ、逆もまた同様である。このように、本明細書で開示された増幅器は、様々なトランジスタタイプおよび技術を使用して実現されうるが、図に示されるそれらのタイプおよび技術に限定されるわけではない。例えば、ＢＪＴ、ＧａＡｓ、ＭＯＳＦＥＴのようなトランジスタタイプまたはその他のトランジスタ技術が使用されうる。
【００６２】
[0071]  当業者は、本明細書に開示された実施形態について説明された様々な実例となる論理ブロック、モジュール、回路、およびアルゴリズムステップが、電子ハードウェア、コンピュータソフトウェア、または両方の組み合わせとして実現されうることをさらに認識するであろう。ハードウェアおよびソフトウェアの互換性を明確に例示するために、多様な実例となるコンポーネント、ブロック、モジュール、回路、およびステップが、一般にそれらの機能の観点から上記で説明されている。このような機能が、ハードウェアとして実現されるか、またはソフトウェアとして実現されるかは、特定のアプリケーションおよびシステム全体に課せられる設計制約に依存する。当業者は、特定のアプリケーションごとに、説明された機能を多様な方法で実現することができるが、このような実現の決定は、本発明の例示的な実施形態の範囲から逸脱を引き起こしていると解釈されるべきでない。
【００６３】
[0072]  本明細書に開示された実施形態に関連して説明された様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、あるいは本明細書に説明された機能を実行するように設計されるこれらの任意の組み合わせで、実現または実行されうる。汎用プロセッサは、マイクロプロセッサでありうるが、代替的に、このプロセッサは、任意の従来型のプロセッサ、コントローラ、マイクロコントローラ、またはステートマシンでありうる。プロセッサはまた、コンピューティングデバイスの組み合わせとして、例えば、ＤＳＰとマイクロプロセッサの組み合わせ、複数のマイクロプロセッサ、ＤＳＰコアと結合した１つ以上のマイクロプロセッサ、またはその他のこのような構成として実現されうる。
【００６４】
[0073]  本明細書で開示された実施形態に関連して説明されたアルゴリズムまたは方法のステップは、直接ハードウェアに、プロセッサによって実行されるソフトウェアモジュールに、またはこれら２つの組み合わせに組み込まれうる。ソフトウェアモジュールは、ランダムアクセスメモリ（ＲＡＭ）、フラッシュメモリ、読取専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバルディスク、ＣＤ−ＲＯＭ、または当技術分野において知られているその他任意の形状の記憶媒体に存在しうる。典型的な記憶媒体は、プロセッサがこの記憶媒体から情報を読み取り、またこの記憶媒体に情報を書き込むことができるように、そのプロセッサに結合される。代替において、この記憶媒体は、プロセッサと一体化されうる。このプロセッサおよび記憶媒体は、ＡＳＩＣ内に存在しうる。ＡＳＩＣは、ユーザ端末内に存在しうる。代替において、このプロセッサおよび記憶媒体は、ユーザ端末内のディスクリートコンポーネントとして存在しうる。
【００６５】
[0074]  １つ以上の例示的な実施形態では、説明された機能は、ハードウェア、ソフトウェア、ファームウェア、またはこれらの任意の組み合わせで実現されうる。ソフトウェアで実現される場合、これらの機能は、コンピュータ読取可能な媒体上の１つ以上の命令またはコードとして記憶または送信されうる。コンピュータ読取可能な媒体は、ある場所から別の場所へのコンピュータプログラムの転送を容易にする任意の媒体を含む通信媒体および非一時的なコンピュータ記憶媒体の両方を含む。非一時的な記憶媒体は、コンピュータによってアクセスされうる任意の利用可能な媒体でありうる。限定ではなく例として、このようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用可能であり、かつコンピュータによってアクセスされうるその他任意の媒体を備えうる。また、任意の接続は、コンピュータ読取可能な媒体と厳密には称されうる。例えば、ソフトウェアがウェブサイト、サーバ、または、他の遠隔ソースから、同軸ケーブル、光ファイバーケーブル、ツイストペア、デジタル加入者回線（ＤＳＬ）、あるいは赤外線、無線、およびマイクロ波のようなワイヤレス技術を使用して送信される場合、同軸ケーブル、光ファイバーケーブル、ツイストペア、ＤＳＬ、あるいは赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含み、ディスク（disks）は、通常磁気的にデータを再生し、ディスク（discs）は、レーザーを用いて光学的にデータを再生する。上記の組み合わせもまた、コンピュータ読取可能な媒体の範囲内に含まれるべきである。
【００６６】
[0075]  開示された例示的な実施形態の上記説明は、いかなる当業者であっても、本発明の製造または使用を可能にするように提供される。これら例示的な実施形態への様々な変更は、当業者にとって容易に明らかであり、本明細書で定義された包括的な原理は、本発明の精神または範囲から逸脱することなく、他の実施形態にも適用されうる。したがって、本発明は、本明細書に示され例示的な実施形態に限定されることは意図されておらず、本明細書に開示される原理および新規な特徴と一致する最も広い範囲を与えられるべきである。
なお、本願の出願当初の請求項と同一の記載を以下に付記する。
［Ｃ１］  装置であって、
受信機に結合された非バイパス信号パスと、ここで、前記非バイパス信号パスはフィルタを備える、
前記受信機に結合されたバイパス信号パスと、ここで、前記バイパス信号パスは、前記フィルタをバイパスするように構成される、
非関連ローカル送信機によって送信された信号が選択された閾値を上回る信号電力で送信される時間インターバルの間、アンテナを前記非バイパス信号パスに結合し、他の時間インターバルの間、前記アンテナを前記バイパス信号パスに結合するためのスイッチと
を備える装置。
［Ｃ２］  前記フィルタは、ＳＡＷフィルタ、ＦＢＡＲフィルタ、およびＢＡＷフィルタのうち少なくとも１つを備える、Ｃ１に記載の装置。
［Ｃ３］  前記スイッチの動作を制御するためのプロセッサをさらに備える、Ｃ１に記載の装置。
［Ｃ４］  前記プロセッサは、前記スイッチを制御して前記アンテナを前記非バイパス信号パスに結合することによって非バイパスモードをイネーブルにし、前記スイッチを制御して前記アンテナを前記バイパス信号パスに結合することによってバイパスモードをイネーブルにするように構成される、Ｃ３に記載の装置。
［Ｃ５］  前記受信機は、ポジショニング・システム受信機を備える、Ｃ１に記載の装置。
［Ｃ６］  前記非関連ローカル送信機は、広域ネットワーク（ＷＡＮ）送信機を備える、Ｃ１に記載の装置。
［Ｃ７］  前記非バイパス信号パスに関連付けられた第１の時間遅延を補償し、前記バイパス信号パスに関連付けられた第２の時間遅延を補償するように構成された遅延補償器をさらに備える、Ｃ１に記載の装置。
［Ｃ８］  前記受信機は、前記非バイパス信号パスおよび前記バイパス信号パスの両方に結合された低ノイズ増幅器（ＬＮＡ）を備える、Ｃ１に記載の装置。
［Ｃ９］  前記受信機は、前記非バイパス信号パスに結合された第１のＬＮＡと、前記バイパス信号パスに結合された第２のＬＮＡとを備える、Ｃ１に記載の装置。
［Ｃ１０］  前記バイパス信号パスは、少なくとも１つの入力マッチングネットワーク（ＩＭＮ）を備え、前記ＩＭＮは、少なくとも１つの望ましくない信号をフィルタリングするように構成されたノッチフィルタを備える、Ｃ１に記載の装置。
［Ｃ１１］  装置であって、
受信機への非バイパス信号パスを提供する手段と、ここで、前記非バイパス信号パスはフィルタを備える、
前記受信機へのバイパス信号パスを提供する手段と、ここで、前記バイパス信号パスは、前記フィルタをバイパスするように構成される、
非関連ローカル送信機によって送信された信号が選択された閾値を上回る信号電力で送信される時間インターバルの間、アンテナを、前記非バイパス信号パスを提供する前記手段に結合する手段と、
他の時間インターバルの間、前記アンテナを、前記バイパス信号パスを提供する前記手段に結合する手段と
を備える装置。
［Ｃ１２］  前記フィルタは、ＳＡＷフィルタ、ＦＢＡＲフィルタ、およびＢＡＷフィルタのうち少なくとも１つを備える、Ｃ１１に記載の装置。
［Ｃ１３］  前記受信機は、ポジショニング・システム受信機を備える、Ｃ１１に記載の装置。
［Ｃ１４］  前記非関連ローカル送信機は、広域ネットワーク（ＷＡＮ）送信機を備える、Ｃ１１に記載の装置。
［Ｃ１５］  前記非バイパス信号パスに関連付けられた第１の時間遅延、および前記バイパス信号パスに関連付けられた第２の時間遅延を補償する手段をさらに備える、Ｃ１１に記載の装置。
［Ｃ１６］  方法であって、
選択された閾値を上回る信号電力で、非関連ローカル送信機によって送信された信号が存在するか否かを決定することと、
前記選択された閾値を上回る前記信号電力で前記非関連ローカル送信機によって送信された信号が存在する場合、アンテナを、受信機への非バイパス信号パスに結合することと、
前記選択された閾値を上回る前記信号電力で前記非関連ローカル送信機によって送信された信号が存在しない場合、前記アンテナを、前記受信機へのバイパス信号パスに結合することと、
を備える方法。
［Ｃ１７］  前記選択された閾値を上回る信号電力で前記非関連ローカル送信機によって送信された前記信号を前記非バイパス信号パス上でフィルタリングして除去することをさらに備える、Ｃ１６に記載の方法。
［Ｃ１８］  前記非バイパス信号パスで搬送される第１の受信信号を増幅するために前記受信機の第１の低ノイズ増幅器（ＬＡＮ）をイネーブルにすることと
前記バイパス信号パスで搬送される第２の受信信号を増幅するために前記受信機の第２のＬＡＮをイネーブルにすることと
をさらに備える、Ｃ１６に記載の方法。
［Ｃ１９］  前記非バイパス信号パスに関連付けられた第１の時間遅延を補償することと、
前記バイパス信号パスに関連付けられた第２の時間遅延を補償することと、
をさらに備える、Ｃ１６に記載の方法。
［Ｃ２０］  少なくとも１つの望ましくない信号をフィルタリングするために、前記バイパス信号パス上にノッチフィルタを提供することをさらに備える、Ｃ１６に記載の方法。
【図１】
0005866443.tif 000002
【図２】
0005866443.tif 000003
【図３】
0005866443.tif 000004
【図４】
0005866443.tif 000005
【図５】
0005866443.tif 000006
【図６】
0005866443.tif 000007
【図７】
0005866443.tif 000008
【図８】
0005866443.tif 000009
【図９】
0005866443.tif 000010